(57)【要約】【課題】段ボール紙のような緩衝性の板材によって被梱包物の角部を高い緩衝効果をもって保護すること。【解決手段】角筒部３３は、四角筒状に折られた部分であり、基部３１の一部である第１壁部３３１と前記第１壁部３３１に対向する第２壁部３３２とを有する。重畳部３４は、前記第１壁部３３１に重なる。起立部３５は、前記重畳部３４から折り曲げられた部分であり、前記重畳部３４から前記第２壁部３３２へ向けて起立している。前記起立部３５は、前記第２壁部３３２に形成されたスリット３３２１を貫通して前記角筒部３３の外側へ突出した貫通片３５２を含む。前記貫通片３５２は、前記角筒部３３の折り目に平行に形成され被梱包物９の側面９２に沿う側面保護部３５２１と、前記側面保護部３５２から前記側面保護部３５２１に直交する方向に沿って折り曲げられた一対の補強部３５２２と、を有する。【選択図】図２
2020132266.tif 000002
【特許請求の範囲】
【請求項１】
梱包箱と被梱包物の間に収容され、前記被梱包物の上面および側面に接触する緩衝部材であって、
平板状の基部と、
前記基部の一部を含み立体状に折り曲げられた緩衝ブロックと、を有し、
前記緩衝ブロックは、
前記基部の一部とともに四角筒状に折られた部分であり、前記基部の一部である第１壁部と前記第１壁部に対向する第２壁部と前記第１壁部および前記第２壁部に連なる第３壁部と前記第２壁部に連なり前記第３壁部に対向する第４壁部とを有する角筒部と、
前記第４壁部から折り曲げられた部分であり前記第１壁部に重なる重畳部と、
前記重畳部から折り曲げられた部分であり、前記重畳部から前記第２壁部へ向けて起立した起立部と、を有し、
前記起立部は、前記第２壁部に形成されたスリットを貫通して前記角筒部の外側へ突出した貫通片を含み、
前記貫通片は、
前記角筒部の折り目に平行に形成され前記被梱包物の側面に沿う側面保護部と、
前記側面保護部から前記側面保護部に直交する方向に沿って折り曲げられた一対の補強部と、を有する、緩衝部材。
【請求項２】
前記貫通片における前記スリットを貫通する部分に開口が形成されており、
前記第２壁部は、前記スリットの縁から突出し前記貫通片の前記開口に挿入された係合片を有する、請求項１に記載の緩衝部材。
【請求項３】
１つの前記基部と一体に形成された複数の前記緩衝ブロックを有する請求項１または請求項２に記載の緩衝部材。
【請求項４】
緩衝性の板材からなる梱包箱と、
前記梱包箱に収容された被梱包物と、
請求項１から請求項３のいずれか１項に記載の緩衝部材と、を備える梱包体。
【発明の詳細な説明】
【技術分野】
【０００１】
本発明は、被梱包物とともに梱包箱に収容される緩衝部材およびそれを含む梱包体に関する。
【背景技術】
【０００２】
プリンター、複写機または複合機などの精密機器は、緩衝部材とともに梱包箱に収容され、梱包体として流通する。一般に、発泡樹脂の成形部材、折り曲げられた段ボール紙からなる部材または内部に空気が封入されたエアーパックなどが、前記緩衝部材として採用される。
【０００３】
例えば、前記折り曲げられた段ボール紙からなる緩衝部材が、画像形成装置の用紙排出空間内に配置されることが知られている（例えば、特許文献１参照）。この場合、前記緩衝部材における平板状の段ボール紙が、前記梱包箱の内面と前記画像形成装置の外面との間に挿入される。
【先行技術文献】
【特許文献】
【０００４】
【特許文献１】特開２００９−７３５１４号公報
【発明の概要】
【発明が解決しようとする課題】
【０００５】
ところで、前記梱包箱は段ボール紙で構成される場合が多いため、前記緩衝部材も同じ段ボール紙で構成されることは、前記梱包箱および前記緩衝部材を一括してリサイクルできる点において好ましい。
【０００６】
また、前記梱包体において、前記緩衝部材による前記被梱包物の角部の保護が重要である。しかしながら、平板状の段ボール紙が前記梱包箱の内面と前記被梱包物の外面との間に挿入されるだけでは、十分な緩衝効果が得られない場合が多い。
【０００７】
本発明の目的は、段ボール紙のような緩衝性の板材によって被梱包物の角部を高い緩衝効果をもって保護することができる緩衝部材およびそれを含む梱包体を提供することにある。
【課題を解決するための手段】
【０００８】
本発明の一の局面に係る緩衝部材は、梱包箱と被梱包物の間に収容され、前記被梱包物の上面および側面に接触する緩衝部材である。前記緩衝部材は、平板状の基部と、前記基部の一部を含み立体状に折り曲げられた緩衝ブロックと、を有する。前記緩衝ブロックは、角筒部と、重畳部と、起立部と、を有する。前記角筒部は、前記基部の一部とともに四角筒状に折られた部分であり、前記基部の一部である第１壁部と前記第１壁部に対向する第２壁部と前記第１壁部および前記第２壁部に連なる第３壁部と前記第２壁部に連なり前記第３壁部に対向する第４壁部とを有する。前記重畳部は、前記第４壁部から折り曲げられた部分であり前記第１壁部に重なる。前記起立部は、前記重畳部から折り曲げられた部分であり、前記重畳部から前記第２壁部へ向けて起立している。前記起立部は、前記第２壁部に形成されたスリットを貫通して前記角筒部の外側へ突出した貫通片を含む。前記貫通片は、前記角筒部の折り目に平行に形成され前記被梱包物の側面に沿う側面保護部と、前記側面保護部から前記側面保護部に直交する方向に沿って折り曲げられた一対の補強部と、を有する。
【０００９】
本発明の他の局面に係る梱包体は、緩衝性の板材からなる梱包箱と、前記梱包箱に収容された被梱包物と、前記緩衝部材と、を備える。
【発明の効果】
【００１０】
本発明によれば、段ボール紙のような緩衝性の板材によって被梱包物の角部を高い緩衝効果をもって保護することができる緩衝部材およびそれを含む梱包体を提供することが可能になる。
【図面の簡単な説明】
【００１１】
【図１】図１は、第１実施形態に係る上緩衝部材を含む梱包体の分解図である。
【図２】図２は、第１実施形態に係る上緩衝部材の主要部の斜視図である。
【図３】図３は、第１実施形態に係る上緩衝部材の主要部の側面図および梱包箱の断面図である。
【図４】図４は、第１実施形態に係る上緩衝部材の底面図である。
【図５】図５は、第１実施形態に係る上緩衝部材の展開図である。
【図６】図６は、第２実施形態に係る上緩衝部材の底面図である。
【発明を実施するための形態】
【００１２】
以下、図面を参照しながら、本発明の実施形態について説明する。なお、以下の実施形態は、本発明を具体化した一例であって、本発明の技術的範囲を限定するものではない。
【００１３】
［第１実施形態］
第１実施形態に係る上緩衝部材３は、被梱包物９とともに梱包箱１内に収容される緩衝性の部材である。例えば、被梱包物９は、プリンター、複写機または複合機などの画像形成装置である。前記像形成装置は精密機器の一例である。
【００１４】
被梱包物９は、上緩衝部材３とともに梱包箱１に収容され、梱包体１０として流通する。即ち、梱包体１０は、梱包箱１と、それぞれ梱包箱１に収容された被梱包物９および上緩衝部材３とを含む。図１に示される例では、梱包体１０は、被梱包物９とともに梱包箱１に収容される４つの下緩衝部材２をさらに含む。
【００１５】
梱包箱１および上緩衝部材３は、それぞれ折り曲げられた１枚の緩衝性の板材により構成されている。具体的には、梱包箱１および上緩衝部材３は、それぞれ折り曲げられた１枚の段ボール紙により構成されている。
【００１６】
一方、下緩衝部材２各々は、重ねられて接着された複数の段ボール紙により構成されている。なお、下緩衝部材２各々が、発泡樹脂の成形部材であることも考えられる。
【００１７】
下緩衝部材２各々は、被梱包物９の底面９１と隣り合う２つの側面９２との境界部分である下角部と梱包箱１の底板部１１および隣り合う２つの側板部１２との間に挿入される。４つの下緩衝部材２は、被梱包物９の荷重を支える。
【００１８】
上緩衝部材３は、梱包箱１と被梱包物９の間に収容され、被梱包物９の上面９３および側面９２に接触する。即ち、上緩衝部材３の一部は、被梱包物９の上面９３と梱包箱１の天板部１３との間に挿入され、上緩衝部材３の他の一部は、被梱包物９の側面９２と梱包箱１の側板部１２との間に挿入される。なお、梱包箱１の天板部１３は、いわゆる内フラップまたは外フラップである。
【００１９】
ところで、梱包箱１は段ボール紙で構成される場合が多いため、上緩衝部材３も同じ段ボール紙で構成されることは、梱包箱１および上緩衝部材３を一括してリサイクルできる点において好ましい。
【００２０】
また、梱包体１０において、上緩衝部材３による被梱包物９の上部における角部の保護が重要である。しかしながら、平板状の段ボール紙が梱包箱１の内面と被梱包物９の外面との間に挿入されるだけでは、十分な緩衝効果が得られない場合が多い。
【００２１】
上緩衝部材３は、段ボール紙のような緩衝性の板材によって被梱包物９の上部における角部を高い緩衝効果をもって保護することができる。以下、図２から図５を参照しつつ、上緩衝部材３の構成について説明する。
【００２２】
［上緩衝部材３］
上緩衝部材３は、立体状に折り曲げられた少なくとも１つの緩衝ブロック３２を有する。緩衝ブロック３２は、上緩衝部材３の主要部である。本実施形態において、上緩衝部材３は、平板状の基部３１と、２つの緩衝ブロック３２とを有する。緩衝ブロック３２は、基部３１の一部を含む。即ち、複数の緩衝ブロック３２は、１つの基部３１と一体に形成されている。
【００２３】
緩衝ブロック３２各々は、角筒部３３、重畳部３４および起立部３５を有する。角筒部３３は、四角筒状に折り曲げられた部分であり、４つの壁部３３１〜３３４を有する。４つの壁部３３１〜３３４は、第１壁部３３１、第２壁部３３２、第３壁部３３３および第４壁部３３４を含む（図２参照）。
【００２４】
第１壁部３３１は、基部３１の一部である。第２壁部３３２は、第１壁部３３１に対向している。第２壁部３３２は、被梱包物９の上面９３に沿う部分である（図３参照）。第３壁部３３３は、第１壁部３３１および第２壁部３３２に対して角部を介して連なっている。第３壁部３３３および第４壁部３３４は、第２壁部３３２に隣接している。第３壁部３３３は、第４壁部３３４に対向している。
【００２５】
第１壁部３３１は、梱包箱１の天板部１３の内面に沿う部分である（図３参照）。基部３１は、２つの緩衝ブロック３２の第１壁部３３１を含む。第３壁部３３３は、梱包箱１の側板部１２の内面に沿う部分である。
【００２６】
図２，４，５に示されるように、第２壁部３３２に、２つの角３３２１ａを形成して連なる３辺の折れ線状のスリットである三連スリット３３２１が形成されている。即ち、三連スリット３３２１は、２つの角３３２１ａを有するコの字状のスリットである。便宜上、図５において、スリットの内側の開口部分に斜線が付されている。また、図５において、破線は谷折りの折り線であり、一点鎖線は山折りの折り線である。
【００２７】
三連スリット３３２１は、角筒部３３の長手方向に沿って形成された第１スリット３３２１１と、第１スリット３３２１１から第３壁部３３３側へ延び出て形成された一対の第２スリット３３２１２とを含む。一対の第２スリット３３２１２は、角筒部３３の長手方向に直交する方向に沿って形成されている。
【００２８】
重畳部３４は、第４壁部３３４に連なり、第１壁部３３１の内面に重なった部分である。重畳部３４は、第４壁部３３４から折り曲げられた部分である。起立部３５は、重畳部３４に連なり、重畳部３４から第２壁部３３２へ向けて起立する部分である。起立部３５は、重畳部３４から折り曲げられた部分である。
【００２９】
起立部３５は、重畳部３４に連なる根元部３５１と、根元部３５１と連なる部分を含む貫通片３５２とを有する。貫通片３５２は、第２壁部３３２に形成された三連スリット３３２１を貫通して角筒部３３の外側へ突出している。
【００３０】
貫通片３５２は、２つの角３５２１ａを形成して連なる３つの板部からなる。即ち、貫通片３５２は、２つの角３５２１ａを有する断面コの字状である。貫通片３５２は、第１板部３５２１および一対の第２板部３５２２を含む。
【００３１】
第１板部３５２１は、根元部３５１に連なる平板状の部分である。第１板部３５２１は、角筒部３３の折り目に平行に形成されている。第１板部３５２１は、被梱包物９の側面９２に沿うことにより、被梱包物９の側面を保護する。なお、第１板部３５２１は、側面保護部の一例である。
【００３２】
一対の第２板部３５２２は、それぞれ第１板部３５２１に連なり、相互に対向している。２つの角３５２１ａは、起立部３５における根元部３５１よりも先端側の部分が、それぞれ起立部３５が重畳部３４から起立する方向に沿う２箇所の折り目に沿って折り曲げられたことにより形成されている。一対の第２板部３５２２は、２つの角３５２１ａを境界部分として第１板部３５２１と連なっている。
【００３３】
一対の第２板部３５２２は、第１板部３５２１から第３壁部３３３側へ延び出ている。一対の第２板部３５２２は、一対の切れ込み３５ａによって根元部３５１から切り離され、第１板部３５２１から第３壁部３３３側へ折り曲げられた部分である。一対の第２板部３５２２は、貫通片３５２を補強する一対の補強部の一例である。
【００３４】
貫通片３５２は、三連スリット３３２１を貫通して第２壁部３３２の外面側へ突出している。即ち、貫通片３５２の第１板部３５２１が三連スリット３３２１の第１スリット３３２１１を貫通し、貫通片３５２における一対の第２板部３５２２が、それぞれ三連スリット３３２１の一対の第２スリット３３２１２を貫通している。
【００３５】
さらに、第２壁部３３２は、三連スリット３３２１の縁から三連スリット３３２１内へ突出した係合片３３２２を有する。本実施形態において、係合片３３２２は、三連スリット３３２１の一部を横断している。
【００３６】
また、貫通片３５２における三連スリット３３２１を貫通する部分に第１開口３５２１ａが形成されている（図２，４，５参照）。係合片３３２２は、貫通片３５２の第１開口３５２１ａに挿入されている（図２，４参照）。これにより、第２壁部３３２における三連スリット３３２１の内側の部分が、貫通片３５２と連結されることによって補強される。
【００３７】
本実施形態では、第１開口３５２１ａは、貫通片３５２の第１板部３５２１に形成されている。なお、第１開口３５２１ａが、貫通片３５２における一対の第２板部３５２２にも形成されることも考えられる。この場合、第２壁部３３２は、一対の第２板部３５２２の第１開口３５２１ａに挿入される２つの係合片３３２２をさらに有する。
【００３８】
上緩衝部材３は、角筒部３３に対応する第１切り起こし部３６をさらに有する。本実施形態において、上緩衝部材３は、２つの角筒部３３に対応する２つの第１切り起こし部３６を有する。
【００３９】
第１切り起こし部３６は、基部３１から切り起こされ、第４壁部３３４の外面に沿って起立している。また、第４壁部３３４における第１切り起こし部３６に対応する位置に、第２開口３３４２が形成されている。
【００４０】
図２，３，５に示されるように、上緩衝部材３は、第２壁部３３２から延びて形成された第２切り起こし部３３４１をさらに有する。第２切り起こし部３３４１は、第４壁部３３４から切り起こされた部分である。
【００４１】
第４壁部３３４における第２切り起こし部３３４１に対応する部分に第２開口３３４２が形成されている。そして、第１切り起こし部３６の一部が、第２開口３３４２に挿入されている（図２，３参照）。これにより、第４壁部３３４が、基部３１の一部である第１切り起こし部３６と連結されることによって補強される。
【００４２】
図３に示されるように、上緩衝部材３は、第２壁部３３２の外面および貫通片３５２の表面が被梱包物９の上面９３および側面９２に沿い、かつ、貫通片３５２が梱包箱１の側板部１２の内面と被梱包物９の側面９２との間に挿入された状態で、梱包箱１に収容されている。
【００４３】
より具体的には、第２壁部３３２の外面が被梱包物９の上面９３に沿い、かつ、貫通片３５２における第１板部３５２１の表面が被梱包物９の側面９２に沿う状態で、上緩衝部材３が梱包箱１に収容されている。従って、貫通片３５２における一対の第２板部３５２２は、梱包箱１の側板部１２の内面に対向している。
【００４４】
なお、被梱包物９の上面９３および側面９２は、被梱包物９における上側の角部に隣接する２つの外面の一例である。
【００４５】
上緩衝部材３の角筒部３３は、被梱包物９の上面９３および梱包箱１の天板部１３に直交する方向に沿う第４壁部３３４および第３壁部３３３を有する。そのため、角筒部３３は、被梱包物９の上面９３に対する衝撃を吸収する効果が高い。
【００４６】
同様に、上緩衝部材３の貫通片３５２は、被梱包物９の側面９２および梱包箱１の側板部１２に直交する方向に沿う一対の第２板部３５２２を有する。そのため、貫通片３５２は、被梱包物９の側面９２に対する衝撃を吸収する効果が高い。
【００４７】
従って、上緩衝部材３が採用されることにより、段ボール紙のような緩衝性の板材によって被梱包物９の角部を高い緩衝効果をもって保護することができる。
【００４８】
また、上緩衝部材３が採用される場合、被梱包物９の上部を保護する部材が１枚の緩衝性の板材で構成される。これにより、被梱包物９を保護する段ボール紙などの部材のリサイクルが容易である。
【００４９】
［第２実施形態］
次に、図６を参照しつつ、第２実施形態に係る上緩衝部材３Ａについて説明する。図６において、図１〜５に示される構成要素と同じ構成要素は、同じ参照符号が付されている。
【００５０】
以下、上緩衝部材３Ａにおける上緩衝部材３と異なる点について説明する。上緩衝部材３Ａは、図１〜５に示される上緩衝部材３と比較して、２つの緩衝ブロック３２が追加された構成を有している。即ち、上緩衝部材３Ａは、４つの緩衝ブロック３２を有する。
【００５１】
上緩衝部材３Ａも、上緩衝部材３と同様に、１枚の緩衝性の板材により構成されている。前記緩衝性の板材の典型例は、段ボール紙である。また、基部３１は、４つの緩衝ブロック３２における角筒部３３の第１壁部３３１を含む。
【００５２】
上緩衝部材３Ａは、４つの貫通片３５２が梱包箱１の４つの側板部１２の内面と被梱包物９の４つの側面９２との間に挿入された状態で、梱包箱１に収容されている。図６において、被梱包物９および梱包箱１が仮想線（２点鎖線）で示されている。
【００５３】
上緩衝部材３Ａが採用される場合も、上緩衝部材３が採用される場合と同様の効果が得られる。
【符号の説明】
【００５４】
１          ：梱包箱
２          ：下緩衝部材
３          ：上緩衝部材
３Ａ        ：上緩衝部材
９          ：被梱包物
１０        ：梱包体
１１        ：底板部
１２        ：側板部
１３        ：天板部
３１        ：基部
３２        ：緩衝ブロック
３３        ：角筒部
３４        ：重畳部
３５        ：起立部
３５ａ      ：切れ込み
３６        ：第１切り起こし部
９１        ：底面
９２        ：側面
９３        ：上面
３３１      ：第１壁部
３３２      ：第２壁部
３３３      ：第３壁部
３３４      ：第４壁部
３５１      ：根元部
３５２      ：貫通片
３３２１    ：三連スリット
３３２２    ：係合片
３３４１    ：第２切り起こし部
３３４２    ：第２開口
３５２１    ：第１板部
３５２１ａ  ：第１開口
３５２２    ：第２板部
３３２１１  ：第１スリット
３３２１２  ：第２スリット
【図１】
2020132266.tif 000003
【図２】
2020132266.tif 000004
【図３】
2020132266.tif 000005
【図４】
2020132266.tif 000006
【図５】
2020132266.tif 000007
【図６】
2020132266.tif 000008